(57)【要約】【課題】数ナノ秒の切り替え周期で周波数を変化させる周波数ホッピング方式によるスペクトル拡散通信を可能にする。【解決手段】分周器２，３，４、３逓倍器５、およびπ／２移相器６ないし１０は、基準の周波数５．０ＧＨｚを有する基準信号を発生する５ＧＨｚ信号発生器１と、基準信号に対して演算処理を行って異なる周波数を有する複数の信号を発生する。切替器１１，１２，１４、反転器１３、演算器１５は、制御部１９から与えられる制御信号に応じて、基準信号および異なる周波数を有する複数の信号を一定時間ごとに組み合わせて生成した隣接する周波数差が一定となる複数群の信号の中から、周波数がランダムに変化する１つの信号を受信側および送信側のミキサに局部発振信号として出力する。【選択図】        図１
2004356927.tif 000002
【特許請求の範囲】
【請求項１】
基準の周波数を有する第１の信号を発生する第１の信号発生手段と、
前記第１の信号に対して演算処理を行って異なる周波数を有する複数の第２の信号を発生する第２の信号発生手段と、
前記第１の信号および前記第２の信号を組み合わせて生成した隣接する周波数差が一定となる信号群の中から周波数が一定時間ごとにランダムに変化するように１つの信号を選択して受信側および送信側のミキサに局部発振信号として出力する第３の信号発生手段と、
を備えたことを特徴とする無線通信装置。
【請求項２】
前記第３の信号発生手段は、数ナノ秒の一定時間ごとに周波数が切り替わる周波数ホッピング方式によってスペクトル拡散された局部発振信号として出力することを特徴とする請求項１記載の無線通信装置。
【請求項３】
前記第２の信号発生手段は、前記第１の信号に対して分周処理を行う少なくとも１つの分周手段、前記第１の信号に対して逓倍処理を行う少なくとも１つの逓倍手段、並びに、前記第１の信号、前記分周手段によって分周された各分周信号、および前記逓倍手段によって逓倍された各逓倍信号のそれぞれを正弦波信号および余弦波信号に変換して前記第３の信号発生手段に出力する複数の移相手段を備えたことを特徴とする請求項１記載の無線通信装置。
【請求項４】
前記第３の信号発生手段は、前記複数の移相手段から出力された複数系統の正弦波信号および余弦波信号の中から２系統の正弦波信号および２系統の余弦波信号を第１の制御信号に応じて選択する第１の信号選択手段と、前記２系統の正弦波信号のいずれか一方の極性を反転する信号反転手段と、この信号反転手段によって反転された正弦波信号又は反転される前の正弦波信号のいずれか一方を第２の制御信号に応じて選択する第２の信号選択手段と、前記２系統の余弦波信号同士を乗算して第１の乗算信号を出力する第１の乗算手段と、前記第２の信号選択手段によって選択された正弦波信号および前記２系統の正弦波信号の他方を乗算して第２の乗算信号を出力する第２の乗算手段、並びに、前記第１の乗算信号および前記第２の乗算信号を加算して受信側および送信側のミキサに局部発振信号として出力する加算手段と、
前記第１および第２の制御信号を数ナノ秒の一定時間ごとに発生して前記第１および第２の信号選択手段に出力する制御信号発生手段と、
を備えたことを特徴とする請求項３記載の無線通信装置。
【発明の詳細な説明】
【０００１】
【発明の属する技術分野】
本発明は、無線通信装置に関し、特に、周波数ホッピングのスペクトル拡散通信を行う無線通信装置に関する。
【０００２】
【従来の技術】
干渉に強く秘匿性も高い通信方法として、搬送周波数を一定時間ごとに切り替える周波数ホッピング方式によってスペクトル拡散する方法がある。この周波数ホッピング方式は、ＰＤＡ（携帯情報通信端末）や携帯電話などの無線通信装置とパソコンなどの情報処理装置との間で無線交信が可能なシステムとして、小電力・近距離無線リンク技術の「Ｂｌｕｅｔｏｏｔｈ」に採用されている。
Ｂｌｕｅｔｏｏｔｈでは、７９ＭＨｚの周波数帯域を使って信号のやりとりがされているが、７９ＭＨの周波数帯域を同時に占有するのではなく、１／１０００秒オーダーで微視的に観測すると１ＭＨｚの帯域で通信するようなシステムになっている。さらに、この１ＭＨｚの通信帯域が６２５μｓｅｃごとにランダムに変化（ホッピング）している。したがって、６２５μｓｅｃの間においては送受信データの通信周波数（搬送周波数）は固定されている。従来、周波数ホッピング方式において搬送周波数を６２５μｓｅｃごとにランダムに変化させるためには、ＰＬＬ信号発生器による局部発振器が多く用いられている。
【０００３】
例えば、周波数ホッピング通信方式および簡易無線装置に関する提案によれば、送信機側および受信機側にＰＬＬ回路が用いられている。このＰＬＬ回路は、電圧制御発振器と、基準周波数発振器と、例えば基準周波数発振器の出力周波数を分周する分周器と、分周された出力と電圧制御発振器の出力とを位相比較する位相比較器と、その比較出力を平滑して電圧制御発振器のコントロール電圧として与えるローパスフィルタとから成っており、その分周回路の分周比をマイクロコンピュータからのデータによって切り換えることにより、８個の周波数ｆ１、ｆ２、…、ｆ８の周波数の正弦波信号（キャリア）を出力できるようになっている（特許文献１参照）。
【０００４】
図５は、一般的な周波数ホッピング方式の無線通信装置の構成を示すブロック図である。ベースバンド帯域の送信データは、変調器２１によって変調をかけられてミキサ２２に入力される。また、ミキサ２２には、ＰＬＬ信号発生器２３において発生された一定時間ごとにランダムに周波数が切り替わる局部発振信号が入力される。したがって、ミキサ２２から出力される送信データを担う搬送波信号は、周波数ホッピング方式によってスペクトル拡散された信号になる。ミキサ２２から出力された搬送波信号は、ＰＡ（パワーアンプ）２４で増幅され、送受信切替切替器２５、バンドパスフィルタ２６を経て、アンテナ２７から送信される。
一方、アンテナ２７で受信された受信データは、バンドパスフィルタ２５、送受信切替切替器２５を経て、ＬＮＡ（ローノイズアンプ）で増幅されてミキサ２９に入力される。ミキサ２９には、受信データの搬送波周波数を中間周波数に変換するための局部発振信号がＰＬＬ信号発生器２３から入力される。ミキサ２９から出力される中間周波数に変換された受信データは、復調器３０によってベースバンド帯域の信号に復調される。
【０００５】
ＰＬＬ信号発生器２３は、電圧制御発振器（ＶＣＯ）３１、基準周波数発振器（ＴＣＸＯ）３２、基準周波数発振器３２の出力周波数を分周する分周器３３、電圧制御発振器３１の出力を増幅するアンプ３４、アンプ３４からの出力周波数を分周する分周器３５、分周器３３の出力と分周器３５の出力とを位相比較する位相比較器３６、その比較出力を平滑して電圧制御発振器３１のコントロール電圧として与えるローパスフィルタ（ＬＰＦ）３７で構成されている。この構成により、安定した周波数の局部発振信号をミキサ２２およびミキサ２９に供給できる。その結果、分周器３５からの出力は、図６に示すように、切り替え信号によって数百μｓｅｃごとに周波数が切り替えられる。図７は、位相比較器３６への２つの入力信号である入力１および入力２の信号波形、その比較出力波形、および、ローパスフィルタ３７によって比較出力の高域成分を除去したＶＣＯ入力波形を示している。
【０００６】
【特許文献１】
特開平７−３０７６８８号公報（段落番号「００１２」および図１）
【０００７】
【発明が解決しようとする課題】
一方、近年提唱されつつある次世代の通信方式では、図８に示すように、数ナノ秒の切り替え周期で周波数を変化させるスペクトル拡散通信が求められている。
しかしながら、従来のように、ＰＬＬ信号発生器において周波数を切り替える構成では、位相比較器への２つの入力信号の周波数は、通常、基準周波数発振器（ＴＣＸＯ）の基準周波数より高くすることはできず、数ＭＨｚのオーダーになっている。その上、ＶＣＯ入力波形は、ローパスフィルタによって比較出力の高域成分を除去するので、ＰＬＬ信号発生器全体の応答は位相比較器の入力信号および比較出力信号の周波数よりもさらに低いものになる。その結果、局部発振信号の周波数も数ＭＨｚ又はさらに低い帯域になってしまう。このため、次世代の通信方式の要求を満たすことができなかった。
本発明の目的は、数ナノ秒の切り替え周期で周波数を変化させる周波数ホッピング方式によるスペクトル拡散通信を可能にする通信装置を提供することである。
【０００８】
【課題を解決するための手段】
請求項１に記載の無線通信装置は、基準の周波数を有する第１の信号（実施形態においては、５．０ＧＨｚの基準信号に相当する）を発生する第１の信号発生手段（実施形態においては、図１の５ＭＨｚ信号発生器１に相当する）と、第１の信号に対して演算処理を行って異なる周波数を有する複数の第２の信号（実施形態においては、０．５ＧＨｚ、１．０ＧＨｚ、２．５ＧＨｚ、５．０ＧＨｚ、７．５ＧＨｚの正弦波信号および余弦波信号に相当する）を発生する第２の信号発生手段（実施形態においては、図１の分周器２，３，４、３逓倍器５、およびπ／２移相器６ないし１０に相当する）と、第１の信号および第２の信号を組み合わせて生成した隣接する周波数差が一定（実施形態においては、０．５ＧＨｚに相当する）となる信号群（実施形態においては、１．５ＧＨｚから８．５ＧＨｚまでの１５通りの周波数を有する信号に相当する）から周波数が一定時間ごとにランダムに変化するように１つの信号を選択して受信側および送信側のミキサに局部発振信号として出力する第３の信号発生手段（実施形態においては、図１の切替器１１，１２，１４、反転器１３、および演算器１５に相当する）とを備えた構成になっている。
【０００９】
請求項１の無線通信装置において、第３の信号発生手段は、数ナノ秒の一定時間ごとに周波数が切り替わる周波数ホッピング方式によってスペクトル拡散された局部発振信号として出力するような構成になっている。
また、請求項１の無線通信装置において、第２の信号発生手段は、第１の信号に対して分周処理を行う少なくとも１つの分周手段（実施形態においては、図１の分周器２，３，４に相当する）、第１の信号に対して逓倍処理を行う少なくとも１つの逓倍手段（実施形態においては、図１の逓倍器５に相当する）、並びに、第１の信号、分周手段によって分周された各分周信号、および逓倍手段によって逓倍された各逓倍信号をそれぞれ正弦波信号および余弦波信号に変換して第３の信号発生手段に出力する複数の移相手段（実施形態においては、図１のπ／２移相器６ないし１０に相当する）を備えたように構成してもよい。
さらにこの場合において、第３の信号発生手段は、複数の移相手段から出力された複数系統の正弦波信号および余弦波信号の中から２系統の正弦波信号および２系統の余弦波信号を第１の制御信号に応じて選択する第１の信号選択手段（実施形態においては、図１の切替器１１および１２に相当する）と、２系統の正弦波信号のいずれか一方の極性を反転する信号反転手段（実施形態においては、図１の反転器１３に相当する）と、この信号反転手段によって反転された正弦波信号又は反転される前の正弦波信号のいずれか一方を第２の制御信号に応じて選択する第２の信号選択手段（実施形態においては、図１の切替器１４に相当する）と、２系統の余弦波信号同士を乗算して第１の乗算信号を出力する第１の乗算手段（実施形態においては、図１の乗算器１７に相当する）と、第２の信号選択手段によって選択された正弦波信号および２系統の正弦波信号の他方を乗算して第２の乗算信号を出力する第２の乗算手段（実施形態においては、図１の乗算器１６に相当する）、並びに、第１の乗算信号および第２の乗算信号を加算して受信側および送信側のミキサに局部発振信号として出力する加算手段（実施形態においては、図１の加算器１８に相当する）と、第１および第２の制御信号を数ナノ秒の一定時間ごとに発生して第１および第２の信号選択手段に出力する制御信号発生手段（実施形態においては、図１の制御部１９に相当する）とを備えた構成にしてもよい。
【００１０】
【発明の実施の形態】
以下、本発明による無線通信装置の実施形態について、図を参照して説明する。
図１は、実施形態の無線通信装置において、送信側および受信側のミキサに供給する局部発振信号を発生する信号発生回路の回路図である。
５ＧＨｚ信号発生器１は、５．０ＧＨｚの基準信号を発生する。１／５分周器２は、基準信号を分周して１．０ＧＨｚの信号を発生する。１／２分周器３は、この１．０ＧＨｚの信号をさらに分周して０．５ＧＨｚの信号を発生する。１／２分周器４は、基準信号を分周して２．５ＧＨｚの信号を発生する。３逓倍器５は、この２．５ＧＨｚの信号を３逓倍して７．５ＧＨｚの信号を発生する。
【００１１】
１／２分周器３、１／５分周器２、１／２分周器４、５ＧＨｚ信号発生器１、および３逓倍器５で発生された０．５ＧＨｚの信号、１．０ＧＨｚの信号、２．５ＧＨｚの信号、５．０ＧＨｚの基準信号、および７．５ＧＨｚの信号は、それぞれπ／２移相器６，７，８，９，１０に入力されて、各周波数の正弦波信号（ｓｉｎ）および余弦波信号（ｃｏｓ）に変換される。具体的には、各π／２移相器に入力された信号をそのまま出力するとともに、入力された信号の位相をπ／２すなわち９０度移相して出力する。
【００１２】
これら各周波数の正弦波信号および余弦波信号のうち、０．５ＧＨｚの信号および１．０ＧＨｚの信号は、２回路３接点の切替器１１に入力される。この場合において、０．５ＧＨｚの余弦波信号は第１の回路の第１の接点ａ１に入力され、０．５ＧＨｚの正弦波信号は第２の回路の第１の接点ｂ１に入力される。１．０ＧＨｚの余弦波信号は第１の回路の第３の接点ａ３に入力され、１．０ＧＨｚの正弦波信号は第２の回路の第３の接点ｂ３に入力される。第１の回路および第２の回路の第２の接点ａ２，ｂ２には、直流電圧（ＤＣ）すなわち周波数がゼロの信号が入力される。
【００１３】
また、これら各周波数の正弦波信号および余弦波信号のうち、２．５ＧＨｚの信号、５．０ＧＨｚの信号、および７．５ＧＨｚの信号は、２回路３接点の切替器１２に入力される。この場合において、２．５ＧＨｚの余弦波信号は第１の回路の第１の接点ａ１に入力され、２．５ＧＨｚの正弦波信号は第２の回路の第１の接点ｂ１に入力される。５．０ＧＨｚの余弦波信号は第１の回路の第２の接点ａ２に入力され、５．０ＧＨｚの正弦波信号は第２の回路の第２の接点ｂ２に入力される。７．５ＧＨｚの余弦波信号は第１の回路の第３の接点ａ３に入力され、７．５ＧＨｚの正弦波信号は第２の回路の第３の接点ｂ３に入力される。
【００１４】
切替器１１において、第２の回路の共通接点ｂ４から択一的に出力される信号のうち、周波数がゼロである直流電圧以外の０．５ＧＨｚの正弦波信号又は１．０ＧＨｚの正弦波信号は、極性（符号）を反転する反転器１３、および、１回路２接点の切替器１４の第１の接点ａ１に入力される。また、反転器１３によって極性が反転した正弦波信号は、切替器１４の第２の接点ａ２に入力される。この切替器１４の共通接点ａ３から出力される正弦波信号又は極性反転の正弦波信号は、▲１▼演算器１５に入力される。一方、切替器１１において、第１の回路の共通接点ａ４から択一的に出力される信号も演算器１５に入力される。また、切替器１２の第１および第２の回路の共通接点ａ４，ｂ４からそれぞれ択一的に出力される信号も演算器１５に入力される。
【００１５】
演算器１５は、図に示すように、２つの乗算器１６，１７および１つの加算器１８で構成されている。切替器１１における第１の回路の共通接点ａ４から択一的に出力される信号と、切替器１２における第１の回路の共通接点ａ４から択一的に出力される信号とは、乗算器１６において乗算されて加算器１８に入力される。また、切替器１４において共通接点ａ３から択一的に出力される信号と、切替器１２における第２の回路の共通接点ｂ４から択一的に出力される信号とは、乗算器１７において乗算されて加算器１８に入力される。加算器１８によって加算された信号は、局部発振信号として送信側および受信側の▲２▼ミキサに供給される。
制御部１９は、切替器１１，１２，１４に与える信号選択の制御信号を数ナノ秒ごとに発生する。
【００１６】
例えば、乗算器１６および乗算器１７に入力される２つの余弦波信号および２つの正弦波信号を、ｃｏｓω１ｔ，ｃｏｓω２ｔ，ｓｉｎω１ｔ，ｓｉｎω２ｔとすると、演算器１５から出力される信号は、下記の式で表わされる。
ｃｏｓω１ｔ＊ｃｏｓω２ｔ＋ｓｉｎω１ｔ＊ｓｉｎω２ｔ＝ｃｏｓ（ω１−ω２）ｔ
切替器１１および切替器１２で選択された信号の周波数をｆ１，ｆ２とすると、ｆ１，ｆ２はそれぞれω１，ω２に比例するので、演算器１５から出力される信号は、切替器１４が反転した正弦波信号を選択した場合には、ｆ１＋ｆ２となり、切替器１４が反転されない正弦波信号を選択した場合には、ｆ１−ｆ２となる。
【００１７】
次に、図２ないし図４を参照して、切替器１１、切替器１２、および切替器１４の状態に応じて、演算器１５から出力される局部発振信号の周波数の変化を説明する。なお、図２ないし図４において、０．５ＧＨｚ、１．０ＧＨｚ、２．５ＧＨｚ、５．０ＧＨｚ、７．５ＧＨｚの正弦波信号および余弦波信号を、ｓｉｎ（０．５）、ｓｉｎ（１．０）、ｓｉｎ（２．５）、ｓｉｎ（５．０）、ｓｉｎ（７．５）、および、ｃｏｓ（０．５）、ｃｏｓ（１．０）、ｃｏｓ（２．５）、ｃｏｓ（５．０）、ｃｏｓ（７．５）と記載する。
【００１８】
図２において、切替器１１における第１の回路の共通接点ａ４は、０．５ＧＨｚの余弦波信号ｃｏｓ（０．５）を選択し、切替器１４における共通接点ａ３は、反転された０．５ＧＨｚの正弦波信号−ｓｉｎ（０．５）を選択する。また、切替器１２における第１の回路の共通接点ａ４は、７．５ＧＨｚの余弦波信号ｃｏｓ（７．５）を選択し、切替器１２における第２の回路の共通接点ｂ４は、７．５ＧＨｚの正弦波信号ｓｉｎ（７．５）を選択する。この結果、演算器１５から出力される信号の周波数は、７．５ＧＨｚ＋０．５ＧＨｚ＝８．０ＧＨｚとなる。
【００１９】
図３において、切替器１１における第１の回路の共通接点ａ４は、１．０ＧＨｚの余弦波信号ｃｏｓ（１．０）を選択し、切替器１４における共通接点ａ３は、反転されない１．０ＧＨｚの正弦波信号ｓｉｎ（１．０）を選択する。また、切替器１２における第１の回路の共通接点ａ４は、２．５ＧＨｚの余弦波信号ｃｏｓ（２．５）を選択し、切替器１２における第２の回路の共通接点ｂ４は、２．５ＧＨｚの正弦波信号ｓｉｎ（２．５）を選択する。この結果、演算器１５から出力される信号の周波数は、２．５ＧＨｚ−１．０ＧＨｚ＝１．５ＧＨｚとなる。
【００２０】
図４において、切替器１１における第１の回路および第２の回路の共通接点ａ４，ｂ４は、ともに周波数ゼロの信号を選択する。したがって、切替器１４の共通接点ａ３からは周波数ゼロの信号が出力される。また、切替器１２における第１の回路の共通接点ａ４は、５．０ＧＨｚの余弦波信号ｃｏｓ（０．５）を選択し、切替器１２における第２の回路の共通接点ｂ４は、５．０ＧＨｚの正弦波信号ｓｉｎ（５．０）を選択する。この結果、演算器１５から出力される信号の周波数は、２．５ＧＨｚ−０．０ＧＨｚ＝５．０ＧＨｚとなる。
【００２１】
切替器１１，１２，１４のすべての切り替え状態を列挙すると、下記のように１５通りの局部発振信号の周波数が得られる。
２．５ＧＨｚ−１．０ＧＨｚ＝１．５ＧＨｚ
２．５ＧＨｚ−０．５ＧＨｚ＝２．０ＧＨｚ
２．５ＧＨｚ−０．０ＧＨｚ＝２．５ＧＨｚ
２．５ＧＨｚ＋０．５ＧＨｚ＝３．０ＧＨｚ
２．５ＧＨｚ＋１．０ＧＨｚ＝３．５ＧＨｚ
５．０ＧＨｚ−１．０ＧＨｚ＝４．０ＧＨｚ
５．０ＧＨｚ−０．５ＧＨｚ＝４．５ＧＨｚ
５．０ＧＨｚ−０．０ＧＨｚ＝５．０ＧＨｚ
５．０ＧＨｚ＋０．５ＧＨｚ＝５．５ＧＨｚ
５．０ＧＨｚ＋１．０ＧＨｚ＝６．０ＧＨｚ
７．５ＧＨｚ−１．０ＧＨｚ＝６．５ＧＨｚ
７．５ＧＨｚ−０．５ＧＨｚ＝７．０ＧＨｚ
７．５ＧＨｚ−０．０ＧＨｚ＝７．５ＧＨｚ
７．５ＧＨｚ＋０．５ＧＨｚ＝８．０ＧＨｚ
７．５ＧＨｚ＋１．０ＧＨｚ＝８．５ＧＨｚ
【００２２】
すなわち、１．５ＧＨｚから０．５ＧＨｚの周波数間隔で８．５ＧＨｚまでの局部発振信号を得ることができる。制御部１９は、これら１５通りの周波数からなる信号の中から、１つの周波数を有する信号をランダムに選択するために、数ナノ秒の一定時間ごとに信号選択の制御信号を切替器１１，１２，１４に与える。
【００２３】
以上のように、この実施形態によれば、分周器２，３，４、３逓倍器５、およびπ／２移相器６ないし１０は、基準の周波数５．０ＧＨｚを有する基準信号を発生する５ＧＨｚ信号発生器１と、基準信号に対して演算処理を行って異なる周波数を有する複数の信号を発生する。切替器１１，１２，１４、反転器１３、演算器１５は、制御部１９から与えられる制御信号に応じて、基準信号および異なる周波数を有する複数の信号を組み合わせて生成した隣接する周波数差が一定となる信号群の中から、周波数が数ナノ秒の切り替え周期ごとにランダムに変化するように１つの信号を選択して受信側および送信側のミキサに局部発振信号として出力する。
したがって、数ナノ秒の切り替え周期で周波数をランダムに変化させる周波数ホッピング方式によるスペクトル拡散通信を可能にする。
【００２４】
なお、上記実施形態においては、分周器２，３，４、３逓倍器５、およびπ／２移相器６ないし１０を用いて、０．５ＧＨｚ、１．０ＧＨｚ、２．５ＧＨｚ、５ＧＨｚ、７．５ＧＨｚの正弦波信号および余弦波信号を発生する構成にしたが、本発明の構成はこれに限定するものではない。分周器、逓倍器、移相器の数やそれらの組み合わせについては、種々の構成が可能である。また、切替器１１，１２，１３、反転器１３、演算器１５の内部構成についても、上記実施形態の構成に限定するものではない。要は、隣接する周波数の間隔が０．５ＧＨｚで１．５ＧＨｚから８．５ＧＨｚまでの周波数を数ナノ秒の切り替え周期でランダムに変化させることが可能な回路構成であればよい。
【００２５】
また、上記実施形態においては、数ナノ秒の切り替え周期で周波数をランダムに変化させる構成にしたが、本発明は数ナノ秒の切り替え周期に限定するものではない。数百マイクロ秒の切り替え周期で周波数をランダムに変化させる構成にしてもよい。すなわち、本発明の適用範囲は、次世代の無線通信装置のみならず、現在の無線通信装置にも適用できることは言うまでもない。一般に、ＰＬＬ信号発生器においては、制御ループの応答速度などの影響によって、位相比較器における位相比較開始から安定した周波数を出力するフェーズドロックまでに遅延時間がある。このため、例えば、６２５μｓｅｃごとの切り替え周期で周波数をランダムに変化させる場合に、切り替え遅れが生じるおそれがある。本発明の無線通信装置は、ＰＬＬ信号発生器を用いていないので、このような切り替え遅れが生じるおそれがなく、６２５μｓｅｃごとの切り替え周期で周波数をランダムに変化させるＢｌｕｅｔｏｏｔｈの周波数ホッピング方式にも適用できる。
【００２６】
【発明の効果】
本発明によれば、基準の周波数を有する第１の信号を発生する第１の信号発生手段と、第１の信号に対して演算処理を行って異なる周波数を有する複数の第２の信号を発生する第２の信号発生手段と、第１の信号および第２の信号を一定時間ごとに組み合わせて生成した隣接する周波数差が一定となる信号群の中から周波数が一定時間ごとにランダムに変化するように１つの信号を選択して受信側および送信側のミキサに局部発振信号として出力する第３の信号発生手段とを備えたので、数ナノ秒の切り替え周期で周波数を変化させる周波数ホッピング方式によるスペクトル拡散通信を可能にするという効果が得られる。
【図面の簡単な説明】
【図１】本発明の実施形態における無線通信装置の局部発振信号を発生する回路の回路図。
【図２】図１における切替器の接続状態の一態様を示す回路図。
【図３】図１における切替器の接続状態の他の一態様を示す回路図。
【図４】図１における切替器の接続状態の他の一態様を示す回路図。
【図５】従来の一般的な無線通信装置の構成を示す回路図。
【図６】周波数ホッピング方式の説明図。
【図７】図５のＰＬＬ信号発生器における位相比較器の動作を示すタイミングチャート。
【図８】次世代の無線通信装置に求められる周波数ホッピング方式の説明図。
【符号の説明】
１  ５ＧＨｚ信号発生器
２  １／５分周器
３，４  １／２分周器
５  ３逓倍器
６〜１０  π／２移相器
１１，１２，１４  切替器
１５  演算器
１６，１７  乗算器
１８  加算器
１９  制御部
【図１】
2004356927.tif 000003
【図２】
2004356927.tif 000004
【図３】
2004356927.tif 000005
【図４】
2004356927.tif 000006
【図５】
2004356927.tif 000007
【図６】
2004356927.tif 000008
【図７】
2004356927.tif 000009
【図８】
2004356927.tif 000010